(57)【要約】【課題】本発明は、従来その一方の側端部に形成されたサイドシール部の一部に、製袋用シーラント層にイージーピール機能を付与したシール幅の狭い個所を設け、袋内の水蒸気圧によりその個所を破壊し、水蒸気を外部に放出させる機能を付与した袋の開示があったが、これでは手で開けるのには不便であり、手先が不自由でも袋を簡単に開封できる易開封包装袋を提供することを目的とする。【解決手段】少なくともシール部として上部に上部シール部と下部に下部シール部があるピロー包装袋であって、上部シール部の側端部に非シール領域または弱シール領域による開封補助領域を設けたことを特徴とする易開封包装袋を提供する。【選択図】図１
2019182447.tif 000002
【特許請求の範囲】
【請求項１】
少なくともシール部として上部に上部シール部と下部に下部シール部があるピロー包装袋であって、上部シール部の側端部に非シール領域または弱シール領域による開封補助領域を設けたことを特徴とする易開封包装袋。
【請求項２】
開封補助領域が非シール領域のみからなっている請求項１記載の易開封包装袋。
【請求項３】
開封補助領域が弱シール領域のみからなっている請求項１記載の易開封包装袋。
【請求項４】
開封補助領域が側端面に沿って形成されている請求項１から３何れか記載の易開封包装袋。
【請求項５】
シール部として背シール部もある請求項１から４何れか記載の易開封包装袋。
【請求項６】
基材層とシーラント層からなっており、シーラント層を合掌させてシーラント層どうしが接合されてシール部となっている請求項１から５何れか記載の易開封包装袋。
【請求項７】
基材層とシーラント層の他、印刷層、バリア層、遮光層、保護層、酸素吸収層の何れかまたはこれらの複数の層を備えている請求項６記載の易開封包装袋。
【請求項８】
開封補助領域が上部シール部の下から途中までに設けられており、その上部に開封補助領域ではない完全シール部がある請求項１から７何れか記載の易開封包装袋。
【請求項９】
開封補助領域が中央部の広幅部と下部の狭幅部からなっている請求項８記載の易開封包装袋。
【請求項１０】
上記広幅部が完全シール部に向かって次第に狭くなっている請求項９記載の易開封包装袋。
【請求項１１】
上記広幅部が上記狭幅部から上部に向かって次第に広くなっている請求項９または１０記載の易開封包装袋。
【発明の詳細な説明】
【技術分野】
【０００１】
本発明は、易開封性を有するピロー形状の包装袋に関するものであり、特には、手先が不自由でも袋を簡単に開封できる易開封包装袋に関するものである。
【背景技術】
【０００２】
従来、飴や菓子に代表されるような食品などの物品を包装した包装袋は、内容物の変質を防ぐために外気を遮断して内容物の酸化を防止したり、遮光によりその促進を防止する機能を有している場合が多い。また、内容物が保存中に吸湿したり、逆に乾燥したりして品質が劣化することを防止する機能も有している場合も多い。
【０００３】
これらの包装袋は、基材層の内面に施されたヒートシール層によって熱融着することで封止する方法が一般的に用いられている。従って、前述の包装袋の目的を達成するためには、このヒートシール層は十分な密封性を有することが必要であり、また、輸送等の過程でこのシール部分が剥がれないよう十分なヒートシール強度を有することが必要である。
【０００４】
しかしながら、内容物を保護するための過剰なヒートシール強度は逆に消費者が利用する際、容易に手で開封することができず、鋏等の器具を使わなければならないことも少なくなかった。また、開封時に大きな力が必要となり、開封できたとしても、開封した瞬間に勢い余って内容物が飛び出してしまったり、開封界面が破壊されることにより美観的にも良いものではなかった。このような問題点から内容物を保護するための十分な密封性を保ち、かつ、手で容易に開封できるような包装袋が望まれていた。
【０００５】
他方、シール幅を部分的に狭くする技術としては引用文献１のような技術が知られている。これは、軟包材フィルムを用いて製袋された包装袋であって少なくとも背シール部を備えた電子レンジ用食品包装袋において、前記背シール部の一部領域に狭いシール幅を以て形成した包装袋の内圧により剥離開口可能な開口用シール部を設けたことを特徴とする電子レンジ用食品包装袋である。
【０００６】
この引用文献１には、図１０に示す様に、ポリオレフィン系フィルムの軟包材などのフィルム１２１を使用した多層構成の平袋状の密封包装袋であって、その底端部を密封シールしたボトムシール部である下部シール部１２４と、左右両側端部を密封シールしたサイドシール部である側シール部１２３、１２７を備え、上部開口部１２２より内容物を充填するようにした密封包装袋において、その一方の側端部に形成されたサイドシール部の一部に、製袋用シーラント層にイージーピール機能を付与した非シール領域１２６によりシール幅の狭い個所である内圧にて剥離開口する開口用シール部である完全シール部１２５を設け、袋内の水蒸気圧によりその個所を破壊し、水蒸気を外部に放出させる機能を付与した袋の開示がある。この袋は、内容物を上部から封入し、上部シール部をシールすることにより密閉し、電子レンジにより加熱することにより使用する。
【０００７】
しかし、この包装袋は手で開封するものではなく電子レンジにより加熱された袋内の空気や蒸気が内圧を高めてこれによりイージーピール機能を付与したシール幅の狭い個所（内圧にて剥離開口する開口用シール部）を設け、袋内の空気圧や蒸気圧によりその個所を破壊し、空気や蒸気を外部に放出させるものである。そのために、イージーピール機能を付与したシール幅の狭い個所は中央部分に設けられる構造になている。
【０００８】
しかしこれでは手で開けるのには不便であり、手先が不自由でも袋を簡単に開封できるものではなかった。
【先行技術文献】
【特許文献】
【０００９】
【特許文献１】特開平１１−２９１８１号公報
【発明の概要】
【発明が解決しようとする課題】
【００１０】
以上のような、問題点を鑑み、本発明は、手先が不自由でも袋を簡単に開封できる易開封包装袋を提供することを課題とする。
【課題を解決するための手段】
【００１１】
上記課題を解決するためになされた第１の発明は、少なくともシール部として上部に上部シール部と下部に下部シール部があるピロー包装袋であって、上部シール部の側端部に非シール領域または弱シール領域による開封補助領域を設けたことを特徴とする易開封包装袋である。
【００１２】
第２の発明は、開封補助領域が非シール領域のみからなっている請求項１記載の易開封包装袋である。
【００１３】
第３の発明は、開封補助領域が弱シール領域のみからなっている請求項１から２何れか記載の易開封包装袋である。
【００１４】
第４の発明は、開封補助領域が側端面に沿って形成されている請求項１から３何れか記載の易開封包装袋である。
【００１５】
第５の発明は、シール部として背シール部もある請求項１から４何れか記載の易開封包装袋である。
【００１６】
第６の発明は、基材層とシーラント層からなっており、シーラント層を合掌させてシーラント層どうしが接合されてシール部となっている請求項１から５何れか記載の易開封包装袋である。
【００１７】
第７の発明は、基材層とシーラント層の他、印刷層、バリア層、遮光層、保護層、酸素吸収層の何れかまたはこれらの複数の層を備えている請求項６記載の易開封包装袋である。
【００１８】
第８の発明は、開封補助領域が上部シール部の下から途中までに設けられており、その上部に開封補助領域ではない完全シール部がある請求項１から７何れか記載の易開封包装袋である。
【００１９】
第９の発明は、開封補助領域が中央部の広幅部と下部の狭幅部からなっている請求項８記載の易開封包装袋である。
【００２０】
第１０の発明は、上記広幅部が完全シール部に向かって次第に狭くなっている請求項９記載の易開封包装袋である。
【００２１】
第１１の発明は、上記広幅部が上記狭幅部から上部に向かって次第に広くなっている請求項９または１０記載の易開封包装袋である。
【発明の効果】
【００２２】
本発明によれば、手先が不自由でも袋を簡単に開封できる易開封包装袋を提供することができる。
【図面の簡単な説明】
【００２３】
【図１】本発明の易開封包装袋の一実施例の正面図である。
【図２】本発明の図１の易開封包装袋の一実施例の背面図である。
【図３】本発明の図１の易開封包装袋の一実施例の部分拡大正面図である。
【図４】本発明の易開封包装袋に用いられるフィルムの一実施例の部分断面図である。
【図５】本発明の図１とは異なる易開封包装袋の一実施例の正面図である。
【図６】本発明の図５の易開封包装袋の一実施例の背面図である。
【図７】本発明の図５の易開封包装袋の一実施例の部分拡大正面図である。
【図８】比較例の易開封包装袋の一実施例の正面図である。
【図９】比較例の図１の易開封包装袋の一実施例の背面図である。
【図１０】従来の易開封包装袋の一実施例の正面図である。
【発明を実施するための形態】
【００２４】
以下、本発明の実施の形態を、図面を用いて説明する。図１は本発明の易開封包装袋の一実施例の正面図であり図２は同背面図である。本発明の易開封包装袋は、基材層の内面にシーラント層を備えた矩形状の軟包材フィルムを平行な折目より３つ折りにして、中央部又は中央部より端部寄りなど適宜位置にて重ね合わせ、その３つ折りした軟包材フィルムの両端部の同じ内面同士を互いに合掌形式に重ね合わせ、その重ね合わせ内面を熱圧にて接着シールして背シール部２５が形成されている。なお、シーラント層とは内面同士を熱圧により接着シール可能な熱融着性の樹脂層のことである。
【００２５】
そして、前記３つ折り軟包材フィルムの下端部には、背シール部２５に対して直交方向に熱圧にて接着シールされた下部シール部１３、２３が形成され、上端部には内容物を充填するための未シール状態の上部開口部を備え、上部開口部より内容物を充填または封入した後において熱圧により接着シールされて上部シール部１２、２２が形成されるものである。
【００２６】
なお、背シール部２５の下部シール部１３、２３と交差する下端部、又は／及び、上部シール部１２、２２交差する上端部は、それぞれ下部シール部１３、２３、トップシール部１２、２２に上に重ね合わせられて、互いに一体的に接着シールされて製袋されていてもよいし、あるいは互いに分離した状態に製袋されていてもよい。そして、このような分離した状態は、製袋に使用する軟包材フィルムの最外面フィルムが、最内面のシーラント層よりも高融点であるために熱融着シールによって融着されことによって生じる。
【００２７】
なお、この代わりに、前記３つ折り軟包材フィルムの上端部には、背シール部２５に対して直交方向に熱圧にて接着シールされた上部シール部１２、２２が形成され、下端部には内容物を充填するための未シール状態の下部開口部を備え、下部開口部より内容物を充填または封入した後において熱圧により接着シールされて下部シール部１３、２３が形成されるものでもよい。
【００２８】
前記上部シール部１２、２２の一方の側端部１５には、非シール領域１４、２４が設けられている。この上部シール部１２、２２の一方の側端部１５および非シール領域１４、２４につき、図３の部分拡大正面図により以下詳しく説明する。
【００２９】
非シール領域１４、２４が側端部３６において上部シール部３２の下端から途中までに設けられており、その上部に開封補助領域ではない完全シール部３５が設けられている。
【００３０】
非シール領域１４、２４は、上部シール部３２の中央部の広幅部３４と下部の狭幅部３３からなっている。この上記広幅部３４は完全シール部３５に向かって次第に狭くなっている。また、上記広幅部３４が上記狭幅部３３から上部に向かって次第に広くなっている。
【００３１】
このとき、上部シール部３２の上部シール幅４１が側端部３６だけで非シール領域により狭くなっており、完全シール部３５でしかシールされていない。従って、非シール領域の空気または内容物の圧力が所定圧以上の内圧となった場合には、接着シールされた内面同士が互いに剥離して、完全シール部３５のシールが解け、開口することができる。
【００３２】
なお、このとき完全シール部長４０を調整することにより、上部シール部３２の剥離開口し易さを設定することができる。
【００３３】
上記易開封包装袋の製袋用のフィルムは、基材層の少なくとも最内面側、すなわち接着シール側にシーラント層が形成された２層乃至３層以上の積層フィルムである複合フィルムが使用される。
【００３４】
例えば図４の様に、順に、２軸延伸ポリプロピレン５１、インキ５２、アンカーコート層５３、エクストルージョンポリエチレン５４、ポリエチレンテレフタレート５５、アルミニウム蒸着層５６、アンカーコート層５７、エクストルージョンポリエチレン５８、無延伸ポリプロピレンフィルム５９が積層されてるものなどが用いられる。
【００３５】
この様に、最内面側のシーラント層の合成樹脂としては、熱融着性の良好な比較的低融点のポリエチレン、ポリプロピレンなどのポリオレフィン系樹脂が適当であり、前記合成樹脂によるシーラント層の熱シール後の剥離は凝集剥離（凝集破壊）によって剥離できるものであって、その剥離強度は１５Ｎ／１５ｍｍ以上が適当であり、また、それより外面側に積層される合成樹脂としては、包装袋としての所定の適性、例えばガスバリア性、透湿性、引き裂き強度、柔軟性などを保持する基材層、もしくはこの基材層に加えて、印刷層、バリア層、遮光層、保護層、酸素吸収層の何れかまたはこれらの複数の層を備えさせることができる。
【００３６】
なお、その場合の積層例とその層厚の例を挙げれば、ポリエチレンテレフタレート（１２μｍ）／無延伸ポリプロピレン（５０μｍ）無延伸ポリプロピレン、ナイロン（１５μｍ）／無延伸ポリプロピレン（２５μｍ）無延伸ポリプロピレン、ポリエチレンテレフタレート（２５μｍ）／無延伸ポリプロピレン（２５μｍ）無延伸ポリプロピレンなどを挙げることができる。
【００３７】
この場合、非シール領域または弱シール領域による開封補助領域が側端面に沿って形成されているのが好ましい。開封するとき指で内容物側から上部シール部に向かって開封補助領域に空気または内容物を扱き出しやすいからである。
【００３８】
シール部として背シール部もあるのが一般的だがチューブ状フィルムを用いる場合は必ずしも必要とするものではない。
【００３９】
なお、基材層とシーラント層からなっており、シーラント層を合掌させてシーラント層どうしが接合されてシール部となっているのが一般的であるが、接着接合などを排除するものではない。
【００４０】
基材層とシーラント層の他、印刷層、バリア層、遮光層、保護層、酸素吸収層の何れかまたはこれらの複数の層を備えていてもよい。各々の層が設けられると、美粧効果や表示
効果、バリア効果、遮光効果、内容物保護効果、酸素吸収効果などの効果を付与することができる。
【００４１】
開封補助領域が上部シール部の下から途中までに設けられており、その上部に開封補助領域ではない完全シール部があるのが好ましい。これにより、使用直前まで未開封とすることができ、内容物の品質維持を図ることができる。
【００４２】
また、開封補助領域が中央部の広幅部と下部の狭幅部からなっている構造が好ましい。先に狭幅部を摘むことにより狭幅部より容量の大きい広幅部を収納部と隔てることができ、狭幅部を摘んだまま指を完全シール部方向へ摺動させることにより空気または内容物の量を維持したまま広幅部の体積を減らすことができ、それにより広幅部の圧力を高めることができ、この高まった圧力により完全シール部への剥離圧力を掛けることが少しの摘み圧力で実現することができるため、少しの力で容易に完全シール部のフィルムどうしのシールを剥離することができ、それにより容易に開口することができるようにすることができる。
【００４３】
特に、広幅部が完全シール部に向かって次第に狭くなっている構造が好ましい。この構造により、圧力による剥離する方向を完全シール部に向かう方向に集中することが可能になるとともに、端部より少しずつ開口することが可能になり、開口量もしくは開口幅の調節が容易になる。
【００４４】
また、上記広幅部が上記狭幅部から上部に向かって次第に広くなっている構造が好ましい。このような構造により、狭幅部を摘んだまま指を完全シール部方向へ摺動させることにより空気または内容物の量を維持したまま広幅部の体積を減らす場合に、調節しながら広幅部の圧力を調整することができ、開口量もしくは開口幅の調節がより容易になる構造とすることができる。
【００４５】
また、別な本発明の実施の形態を、図面を用いて説明する。図５は本発明の易開封包装袋の一実施例の正面図であり図６は同背面図である。基材層の内面にシーラント層を備えた矩形状の軟包材フィルムを平行な折目より３つ折りにして、中央部又は中央部より端部寄りなど適宜位置にて重ね合わせ、その３つ折りした軟包材フィルムの両端部の同じ内面同士を互いに合掌形式に重ね合わせ、その重ね合わせ内面を熱圧にて接着シールして背シール部７５が形成されている。なお、シーラント層とは内面同士を熱圧により接着シール可能な熱融着性の樹脂層のことである。
【００４６】
そして、前記３つ折り軟包材フィルムの下端部には、背シール部７５に対して直交方向に熱圧にて接着シールされた下部シール部６３、７３が形成され、上端部には内容物を充填するための未シール状態の上部開口部を備え、上部開口部より内容物を充填または封入した後において熱圧により接着シールされて上部シール部６２、７２が形成されるものである。
【００４７】
なお、背シール部７５の下部シール部６３、７３と交差する下端部、又は／及び、上部シール部６２、７２交差する上端部は、それぞれ下部シール部６３、７３、トップシール部６２、７２に上に重ね合わせられて、互いに一体的に接着シールされて製袋されていてもよいし、あるいは互いに分離した状態に製袋されていてもよい。そして、このような分離した状態は、製袋に使用する軟包材フィルムの最外面フィルムが、最内面のシーラント層よりも高融点であるために熱融着シールによって融着されことによって生じる。
【００４８】
なお、この代わりに、前記３つ折り軟包材フィルムの上端部には、背シール部７５に対して直交方向に熱圧にて接着シールされた上部シール部６２、７２が形成され、下端部に
は内容物を充填するための未シール状態の下部開口部を備え、下部開口部より内容物を充填または封入した後において熱圧により接着シールされて下部シール部６３、７３が形成されるものでもよい。
【００４９】
前記上部シール部６２、７２の一方の側端部１５には、弱シール領域６４、７４が設けられている。この上部シール部６２、７２の一方の側端部６５および弱シール領域６４、７４につき、図７の部分拡大正面図により以下詳しく説明する。
【００５０】
弱シール領域６４、７４が側端部７６において上部シール部７２の下端から途中までに設けられており、その上部に開封補助領域ではない完全シール部８５が設けられている。
【００５１】
弱シール領域６４、７４は、上部シール部８２の中央部の広幅部８４と下部の狭幅部８３からなっている。この上記広幅部８４は完全シール部８５に向かって次第に狭くなっている。また、上記広幅部８４が上記狭幅部８３から上部に向かって次第に広くなっている。
【００５２】
このとき、上部シール部８２の上部シール幅９１が側端部８６だけで通常のシール強度である完全シール部８３が弱シール領域６４、７４により狭くなっており、完全シール部８５でしかシールされていない。従って、収納部の空気または内容物の圧力が所定圧以上の内圧となった場合には、まずは弱シール領域６４、７４で接着シールされた内面同士が互いに剥離して、続いて完全シール部８５のシールが解け、開口することができる。
【００５３】
なお、このとき完全シール部長９０を調整することにより、上部シール部８２の剥離開口し易さを設定することができる。
【実施例】
【００５４】
（実施例）
２０μｍ厚の２軸延伸ポリプロピレンフィルムに所望のインキで印刷を行い、さらにアンカーコートを行った。また、１２μｍ厚のポリエチレンテレフタレートフィルムにアルミニウム蒸着を施し、さらにウレタン接着剤（Ａ３２１０）を用いて０．２６ｇ／ｍ２（ｄｒｙ塗布量）アンカーコートを行った。この場合、ウレタン接着剤の代わりにポリブタジエン（ＥＬ４５１）を用いて０．０２ｇ／ｍ２（ｄｒｙ塗布量）アンカーコートを行っても同様の膜厚のものとなった。
【００５５】
これに１８μｍ厚の無延伸ポリプロピレンフィルムを用意し、各々のフィルムの間に溶融寸前状態に熱した状態のポリエチレンを挟んで押出しラミネート機を用いて積層した。
【００５６】
これにより、２軸延伸ポリプロピレン（２０μｍ）／インキ／アンカーコート層（０．５μｍ）／エクストルージョンポリエチレン（１０μｍ）／アルミニウム蒸着ポリエチレンテレフタレート（１２μｍ）／アンカーコート層（０．５μｍ）／エクストルージョンポリエチレン（１０μｍ）／無延伸ポリプロピレンフィルム（１２μｍ）からなるフィルムを用意した。
【００５７】
そのフィルムを用意した上で、２０ｍｍ幅の背シール部と２０ｍｍ幅の下部シール部を従来の製袋機を用いて、１６０℃、０．２ＭＰａ、１秒の条件でシールした。これにより１５Ｎ／１５ｍｍ以上のシール強度を得た。
【００５８】
さらに内容物を封入した後、シールバーの形状として非シール領域（狭幅部幅１０ｍｍ、広幅部最大幅２０ｍｍ）を端部に存在するものを用意し、１６０℃、０．２ＭＰａ、１秒の条件で２５ｍｍ幅の上部シール部をシールした。これにより１５Ｎ／１５ｍｍ以上のシール強度を得た。
【００５９】
これにより、図１、図２で示されるされるような易開封包装袋が得られた。すなわち、フィルムを平行な折目より３つ折りにして、背シール部２５、下部シール部１３、２３を形成し、上部開口部より内容物を充填後に上部シール部１２、２２を形成したものであり、その一方の側端部１５には、非シール領域１４、２４が設けられている。
【００６０】
（比較例）
実施例と同じ、２軸延伸ポリプロピレン（２０μｍ）／インキ／アンカーコート層（０．５μｍ）／エクストルージョンポリエチレン（１０μｍ）／アルミニウム蒸着ポリエチレンテレフタレート（１２μｍ）／アンカーコート層（０．５μｍ）／エクストルージョンポリエチレン（１０μｍ）／無延伸ポリプロピレンフィルム（１２μｍ）からなるフィルムを用意した。
【００６１】
その上で、背シール部と下部シール部を従来の製袋機を用いて、１６０℃、０．２ＭＰａ、１秒の条件でシールし、さらに内容物を封入した後、この製袋機で同じ１６０℃、０．２ＭＰａ、１秒の条件で上部シール部をシールした。これにより背シール部、上部シール部、下部シール部ともに１５Ｎ／１５ｍｍ以上のシール強度を得た。
【００６２】
これにより、図８、図９で示されるされるような易開封包装袋が得られた。すなわち、フィルムを平行な折目より３つ折りにして、背シール部１１４、下部シール部１０３、１１３を形成し、上部開口部より内容物を充填後に上部シール部１０２、１１２を全幅形成したものである。
【００６３】
（比較）
上記実施例と上記比較例を比較したところ、実施例では袋をおさえることで簡単に開封できたが、比較例では容易に開封することはできなかった。また、実施例では開封時に内容物を徐々に少しずつ排出することができたが、比較例では開封に伴い内容物が勢い良く飛び出してしまった。また、実施例では開口部は端部から小さく開き、目的以上に大きく開くことはなかったが、従来例においては、手による開封では開口量を調整することはできず、大きく開いてしまった。
【符号の説明】
【００６４】
１１、２１、３１、６１、７１、８１、１０１、１１１・・・収納部
１２、２２、３２、６２、７２、８２、１０２、１１２・・・上部シール部
１３、２３、６３、７３、１０３、１１３、１２４・・・下部シール部
１４、２４、１２６・・・非シール領域
１５、３６、６５、８６・・・側端部
２５、７５、１１４・・・背シール部
３３、８３・・・狭幅部
３４、８４・・・広幅部
３５、８５、１２５・・・完全シール部
３７、８７・・・狭幅部幅
３８、８８・・・狭幅部長
３９、８９・・・広幅部最大幅
４０、９０・・・完全シール部長
４１、９１・・・上部シール幅
４２、９２・・・破断線
５１・・・２軸延伸ポリプロピレン
５２・・・インキ
５３・・・アンカーコート層
５４・・・エクストルージョンポリエチレン
５５・・・ポリエチレンテレフタレート
５６・・・アルミニウム蒸着層
５７・・・アンカーコート層
５８・・・エクストルージョンポリエチレン
５９・・・無延伸ポリプロピレンフィルム
６４、７４・・・弱シール領域
１２１・・・フィルム
１２２・・・開口部
１２３、１２７・・・側シール部
【図１】
2019182447.tif 000003
【図２】
2019182447.tif 000004
【図３】
2019182447.tif 000005
【図４】
2019182447.tif 000006
【図５】
2019182447.tif 000007
【図６】
2019182447.tif 000008
【図７】
2019182447.tif 000009
【図８】
2019182447.tif 000010
【図９】
2019182447.tif 000011
【図１０】
2019182447.tif 000012